(57)【要約】【課題】躯体下部の構成と通気層の形成を簡素化させながら効率的な断熱層を形成することで地盤の凍上現象を防止する冷凍・冷蔵倉庫を提供する。【解決手段】本発明による冷凍・冷蔵倉庫１は、躯体の下部構造下に通気層を設け外気を流通させることで地盤の凍上現象を防止して成る冷凍・冷蔵倉庫において、基礎杭７と基礎杭に載置する床板８及び床板と地盤との間に配置される断熱性通気部材４（５）から構成され、断熱性通気部材を通気層と断熱材とで構成し、断熱材の上部側に構成した通気層をデッキプレートと断熱材中に配置するデッキプレートの支持芯とで構成したり、断熱材の下部側に構成した通気層を断熱材中に配置した床板の支持芯とで構成することを特徴としている。【選択図】　図１
2004020061.tif 000002
【特許請求の範囲】
【請求項１】
躯体の下部構造下に通気層を設け外気を流通させることで地盤の凍上現象を防止して成る冷凍・冷蔵倉庫であって、基礎、該基礎に載置する床板及び該床板と地盤との間に配置される断熱性通気部材から構成されることを特徴とする冷凍・冷蔵倉庫。
【請求項２】
断熱性通気部材が、通気層と断熱材とを積層して構成され、該通気層を該断熱材の上部側に形成することを特徴とする請求項１に記載の冷凍・冷蔵倉庫。
【請求項３】
通気層が、デッキプレートと該デッキプレートを支持して断熱材中に配置される支持芯とで構成されることを特徴とする請求項２に記載の冷凍・冷蔵倉庫。
【請求項４】
断熱性通気部材が、通気層と断熱材とを積層して構成され、該通気層を該断熱材の下部側に形成して床板の支持芯を断熱材中に配置することを特徴とする請求項１に記載の冷凍・冷蔵倉庫。
【発明の詳細な説明】
【０００１】
【発明の属する技術分野】
本発明は冷凍・冷蔵倉庫に関し、特に、躯体の下部構造と通気層を安価に形成した冷凍・冷蔵倉庫に関する。
【０００２】
【従来の技術】
近年、冷凍食品等の普及による需要からその建造が要望されている冷蔵・冷凍倉庫は、冷蔵部と荷捌き部とから構成されている。従来の冷蔵・冷凍倉庫では、室内における保冷の為の防熱設計と共に、冷熱が長期間のうちに防熱材を透過して躯体下部のコンクリートスラブ、地中梁、基礎に伝わって栗石等の土中に影響を与える凍上現象の防止問題が大きくクローズアップされてきた。
【０００３】
即ち、断熱材層にも熱云導率があるために長期間のうちには冷熱がその側の構造物躯体に伝わり、躯体の下部構造である土間コンクリートスラブ、地中梁、基礎スラプ等を凍結状態に至らしめ、これらの各部に接する土中の砂、粘土、礫等の水分を結氷させることになる。これらの凍結膨張は、初期時には土中の下方に向つて吸収されるが、凍結が地中深くまで進行すると、土圧による凍結膨張分が地表面に出て来て、構造物荷重に抗して前記の土間コンクリート、土中梁等を突き上げる凍上現象に発展させて、極端な場合は倉庫床面に不等隆起を生じさせて使用不能に至しめることになる。
【０００４】
これらの凍上現象を防止するために、従来の冷凍・冷蔵倉庫ではその周囲及び内部の布基礎あるいは基礎梁に通気孔を設けて、床下の冷気を外気と入れ替えるようにしている。
【０００５】
図７は、その一例を示すものであり、冷蔵・冷凍倉庫２０は、冷蔵部２１と荷捌き部２２とから構成されており、基礎を兼用した適宜厚さの床板２３が通気層２４を介して地盤に当接されている。本例の通気層２４は、床板２３の下面にデッキプレート２５を敷設することで形成され、通気層２４の一端部には給気溝２６を設けると共に反対側の端部には排気溝２７を設けている。さらに、床板２３とデッキプレートと２５の間には断熱材２８が設けられており、排気溝２７には排気ファン２９を設けて図示していない通気用パイプ等に接続している。
【０００６】
床板２３の通気層２４に溜った冷気は、排気ファン２９で排気溝２７に吸気されて外に排気されると同時に、給気溝２６には給気ロから新たな外気を吸気することで、通気層２４の空気を滞留させずに常時流通させており、これによって冷蔵部２１における断熱層を形成して地盤の凍上現象を防止している。
【０００７】
しかしながら、本例のように躯体下部を構成するのに基礎を兼用した床板を設け、この床板下の全面にデッキプレートを敷設して断熱材を別途に敷設することは、設備費、施工費を要することになって冷凍・冷蔵倉庫の総合的な構築コストを嵩張らす要因になっていた。
【０００８】
【発明が解決しようとする課題】
本発明は、以上の状況に鑑みて提供するものであり、躯体下部の構成と通気層の形成を簡素化させながら効率的な断熱層を形成することで地盤の凍上現象を防止する冷凍・冷蔵倉庫を提供している。
【０００９】
【課題を解決するための手段】
本発明による冷凍・冷蔵倉庫は、基本的に、躯体の下部構造下に通気層を設け外気を流通させることで地盤の凍上現象を防止して成る冷凍・冷蔵倉庫において、基礎と基礎上に載置して支持される床板及び床板と地盤との間に配置される断熱性通気部材から構成されており、具体的には、断熱性通気部材を通気層と断熱材とを積層して構成し、断熱材の上部側に構成した通気層をデッキプレートと断熱材中に配置するデッキプレートの支持芯とで構成したり、断熱材の下部側に構成した通気層を断熱材中に配置した床板の支持芯とで構成することを特徴としている。
【００１０】
これによって、本発明による冷凍・冷蔵倉庫は、デッキプレート及び断熱材を個別に設置するための施工上の手間を省き、躯体下部の構成と通気層の形成を簡素化させながら効率的な断熱層を形成することで地盤の凍上現象を防止して、冷凍・冷蔵倉庫の構築と保守コストを低減させている。
【００１１】
【発明の実施の形態】
本発明による冷凍・冷蔵倉庫は、基本的に、基礎と基礎上に載置して支持される床板及び床板と地盤との間に配置される断熱性通気部材から構成され、具体的には、断熱性通気部材を通気層と断熱材とを積層して構成し、断熱材の上部側に構成した通気層をデッキプレートと断熱材中に配置するデッキプレートの支持芯とで構成するか、断熱材の下部側に構成した通気層を断熱材中に配置した床板の支持芯とで構成することを特徴としており、躯体の下部構造下に通気層を形成し外気を流通させることで地盤の凍上現象を防止している。
以下に、本発明による冷凍・冷蔵倉庫の実施の形態を図面に基づいて詳細に説明する。
【００１２】
図１は、本実施の形態における冷凍倉庫を示す平面図（ａ）と断面図（ｂ）であり、冷凍倉庫の概要を示している。
【００１３】
本実施の形態における冷凍庫１は、図１（ａ）に示すように冷凍室２と荷捌き室３とから構成されており、基礎杭６とフーチング及び基礎梁等から成る基礎７は、冷凍庫１の躯体を構成している冷凍室２と荷捌き室３の床板８をその上に載置しながら一体に支持している。
【００１４】
冷凍室２側の給気用ファンで導入された外気は、冷凍庫１の床板下に形成されている断熱性通気部材４の後述する通気層を流通しながら、冷凍室２と荷捌き室３との冷熱を奪っている。次いで、冷熱によって冷気になった外気は、荷捌き室３側の排気用ファンによって冷凍庫１の床板下から庫外に放出されるものであり、冷凍室２と荷捌き室３の下部に形成されて冷熱によって低温化した外気は滞留されることなく迅速に撤去されている。
【００１５】
尚、基礎梁が通気層を分断している場合には、これを貫通する通気孔等を設けることで、通気層が分断されないように連通させている。
【００１６】
しかして、断熱性通気部材４は、図１（ｂ）に示されているように床板と地盤との間に配置されているが、後述するように通気層と断熱材とから構成されており、通気層に外気を流通させることで上述したように冷凍室２と荷捌き室３の下部に発生する低温化した外気を除去して冷熱による冷熱伝導を阻止すると同時に、断熱材で冷熱の伝導を減少させることによって冷凍室２と荷捌き室３からの冷熱が地盤に伝導をするのを抑制することで、冷凍室２と荷捌き室３の冷熱による地盤の凍上現象を防止している。
【００１７】
図２は、図１の断面図（ｂ）における（２）−（２）矢視で示す本実施の形態における冷凍倉庫の床板と断熱性通気部材との断面図である。
【００１８】
本実施の形態では、冷凍庫１の躯体を構成している床板８は、基礎７の上に一体になって支持されながら地盤９の上に敷設された砕石層１０の上に形成されており、マットスラブ１１、スタイロフォーム等の断熱材１２及び床押コンクリート１３を積層状態に構成している。
【００１９】
床板８と砕石層１０との間に配置されている断熱性通気部材４は、通気層４−１と断熱材４−２とから構成されている。
【００２０】
通気層４−１は、本実施の形態では断熱材４−２の上面に配置された波形のデッキプレート４−３と断熱材４−２の間に形成されており、デッキプレート４−３の上面は、床板８のマットスラブ１１を打設する際の型枠として機能すると共に、下面は低温化した外気の流通路４−４として機能している。又、デッキプレート４−３は、支持芯４−５によって砕石層１０の上に設置されているが、支持芯４−５は、断熱材４−２の片側に開口を設けて壺状に形成されるか或いは図示のように断熱材４−２を貫通して形成される挿入孔４−６に配置されて、断熱材４−２中に設置されており、デッキプレート４−３を支持している。
【００２１】
このために、冷凍室２と荷捌き室３の下部躯体として構成されている床板８は、冷却状態にあることから、従来ならば、その冷熱がマットスラブ１１を通じて砕石層１０から地盤９に伝導して地盤９上に凍上現象を発生させていたが、本実施の形態では、床板８が基礎７と一体に支持されることで、床板８を介してデッキプレート４−３及び断熱性通気部材４に作用する建物躯体からの載架荷重を十分に軽減しており、床板８が断熱性通気部材４に接触する面積と接触圧力を減少させて、床板８から断熱性通気部材４に伝導される冷熱を更に低減させている。
【００２２】
さらに、本実施の形態では、通気層４−１がマットスラブ１１と断熱材４−２との間にデッキプレート４−３を配置することで形成されていることから、マットスラブ１１からの冷熱は、断熱材４−２に伝導される前に外気等の流通によって除去されている。
【００２３】
従って、本実施の形態においては、上述した躯体の載架荷重を基礎７で一体に支持することよってマットスラブ１１と断熱材４−２との間のデッキプレート４−３にかかる荷重を大幅に軽減して通気層４−１を確実に確保できることの構成と相俟って、冷凍室２と荷捌き室３から床板８を通じて地盤９上に伝導する冷熱は、その伝導程度を徹底的に低減されており、地盤９に凍上現象が発生する状態を大幅に防止している。
【００２４】
又、図３は、本発明による冷凍・冷蔵倉庫における冷凍倉庫の床板と断熱性通気部材との他の実施形態を、上記実施の形態と同様に図１の断面図（ｂ）における（２）−（２）矢視で示す断面図である。
【００２５】
本実施の形態も、上記実施の形態と同様に、冷凍庫１の躯体を構成している床板８が、基礎７と一体になって支持されながら地盤９の上に敷設された砕石１０の上に形成されると共に、マットスラブ１１、スタイロフォーム等の断熱材１２及び床押コンクリート１３を積層状態に構成され、床板８と砕石１０との間に断熱性通気部材５を配置しているが、断熱性通気部材５を構成している通気層５−１が、少なくとも断熱材５−２の下側に配置している点が異なっている。
【００２６】
即ち、本実施の形態では、断熱性通気部材（以下、ドレンフォームと言う）５が、通気層５−１と断熱材５−２とを一体にした発泡ポリスチルン湧水処理パネル（ウチヤマエンジニアリング株式会社製、商品名ドレンフォーム）で構成されており、通気層５−１は断熱材５−２の下側に配置されている。
【００２７】
本ドレンフォーム５は、発泡ポリスチルンを凹凸状に成形することで構成されており、地下水の多い建物において内部に浸透してくる地下水を湧水槽に導くためにスラブ下に使用する市販の湧水処理パネルと同等である。ドレンフォーム５は、下方に形成する凸部の間に通気層５−１を形成すると共に、マットスラブ１１の下に配置される断熱材５−２に所定の間隔で形成されている凹部５−３に、コンクリート５−４をマットスラブ１１と一体に打設することで断熱材５−２中に支持芯を形成し、この支持芯である凹部５−３内のコンクリート５−４によって床板８を砕石層１０の上に支持している。
【００２８】
冷凍庫１の躯体を構成している床板８は、上記実施の形態と同様に、基礎７で支持されながら、基礎７と一体になるように地盤９の上に敷設した砕石層１０の上に構成されており、上述したドレンフォーム５を配置した後に、マットスラブ１１のコンクリートを打設しており、これに続けて、マットスラブ１１の上にスタイロフォーム等の断熱材１２及び床押コンクリート１３を積層体として構成している。
【００２９】
従って、本実施の形態においては、床板８は、ドレンフォーム５と断熱材１２との二重断熱構造に形成されており、上述した躯体荷重を基礎７で一体に支持することと、これによってマットスラブ１１からの冷熱の伝導を断熱材５−２で減少させながら、同時に地盤９との間に形成される通気層５−１に暖気を流通させることとが相俟って、冷凍室２と荷捌き室３からの冷熱は、床板８を通じて地盤９上に伝導する程度を徹底的に抑制されており、地盤９に凍上現象が発生する状態を大幅に防止している。
【００３０】
さらに、図４、５は、床板８の断熱性通気部材４やドレンフォーム５に外気を供給するために配置される機構を示している。
【００３１】
図４は、図１の（Ａ）部の詳細図であり、冷凍室側に配置されている給気機構の実施の形態を示している。
【００３２】
基礎杭６とフーチング及び基礎梁等から成る基礎７と一体の床板８には、図示のように通気用側口１４が設けられており、通気用側口１４にメッシュで覆われた複数の給気口１５が配置されている。
【００３３】
通気用側口１４と断熱性通気部材４やドレンフォーム５とは、勾配付きのパイプ１６によって結合されており、給気用ファンによって吸引された暖気が、ドレンフォーム５に供給されている。
【００３４】
又、図５は、図１の（Ｂ）部の詳細図であり、荷捌き室側に配置されている排気機構の実施の形態を示している。
【００３５】
排気機構は、基礎杭６とフーチング及び基礎梁等から成る基礎７と一体の床板８に排気口１８が設けられており、排気口１８と床板８のドレンフォーム５とは、デフロスト１９によって結合されることで、ドレンフォーム５に形成される冷気を排気用ファンによって吸引している。
【００３６】
従って、本実施の形態の冷凍庫１では、暖気が給気用ファンによってドレンフォーム５に連続的に供給され、冷凍室２と荷捌き室３との冷熱を奪いながら冷気となって滞留することなく放出されており、躯体の下部構造が凍結状態に成るのを阻止して、地盤への冷気の伝達を抑制することで地盤の凍上現象を防止している。
【００３７】
上記図３で説明した他の実施形態では、断熱性通気部材の中に支持芯を設置していたが、支持芯の設置形態は、これに限定されるものでなく、図６に示すような他の実施の形態でも採用可能である。
【００３８】
図６は、上記図３と同様である床板と断熱性通気部材における断面図であり、盤状の断熱材に対して支持芯が多様の通気層を配置している。
【００３９】
図６（ａ）は、断熱材の下側に通気層を形成するように支持芯を設置するものであり、ドレンフォーム５’は、盤状に形成された断熱材５−２の片面側に多数の凸部を形成するように支持芯５−５を断熱材５−２の中に埋設している。
【００４０】
以上のように、ドレンフォーム５’は支持芯５−５を内部に予め設置しながら構成されているので、支持芯５−５は、床板８を支持しながら通気層５−１を断熱材５−２の下側に形成している。
【００４１】
図６（ｂ）は、断熱材の上下両側に通気層を形成するように支持芯を設置するものであり、ドレンフォーム５”は、盤状に形成された断熱材５−２の両面側に多数の凸部を形成するように支持芯５−５を断熱材５−２の中に埋設している。
【００４２】
これによって、ドレンフォーム５”は、床板８を支持しながら通気層５−１を断熱材５−２の下側に形成することで、地盤への冷気の伝達を更に抑制して地盤の凍上現象を防止している。
【００４３】
以上の各実施の形態が示すように、本発明による冷凍・冷蔵倉庫は、盤状の断熱材の片面側或いは両面側に支持芯によって多数の凸部を形成しながら、断熱材を挟みながら上下部に通気層を形成することができる。
【００４４】
以上のように、本発明による冷凍・冷蔵倉庫は、上記実施の形態で詳細に説明したように構成されているので、基礎梁や床板のためのデッキプレート及び断熱材を個別に設置することを排除して、躯体下部の構成と通気層の形成を機能的に簡素化させて設備費、施工費を安価にし冷凍・冷蔵倉庫の総合的な構築コストを低減させている。
【００４５】
以上、本発明による冷凍・冷蔵倉庫を、実施の形態に基づいて詳細に説明したが、本発明は、これらの実施の形態に何ら限定されるものでなく、基礎の形態や構造及び断熱性通気部材の形態や材質等に関して、発明の主旨を逸脱しない範囲において各種の変更が可能であることは当然のことである。
【００４６】
【発明の効果】
本発明による冷凍・冷蔵倉庫は、躯体の下部構造下に通気層を設け外気を流通させることで地盤の凍上現象を防止して成る冷凍・冷蔵倉庫において、基礎と基礎に載置する床板及び床板と地盤との間に配置される断熱性通気部材から構成され、断熱性通気部材を通気層と断熱材とを積層して構成し、断熱材の上部側に構成した通気層をデッキプレートと断熱材中に配置するデッキプレートの支持芯とで構成したり、断熱材の下部側に構成した通気層を断熱材中に配置した床板の支持芯とで構成することを特徴としているので、デッキプレート及び断熱材を個別に設置するための施工上の手間を省くと共に、躯体下部の構成と通気層の形成を簡素化させながら効率的な断熱層を形成することで地盤の凍上現象を防止して、冷凍・冷蔵倉庫の設備費、施工費を廉価にして構築コストを低減させながら運転コストも抑制できる効果を奏している。
【図面の簡単な説明】
【　図１】本発明による冷凍・冷蔵倉庫に関する実施の形態の平面図（ａ）と断面図（ｂ）
【　図２】本発明による冷凍・冷蔵倉庫の実施の形態における床板と断熱材の断面図
【　図３】本発明による冷凍・冷蔵倉庫の他の実施形態における床板と断熱材の断面図
【　図４】本発明による冷凍・冷蔵倉庫の実施の形態における給気機構の詳細図
【　図５】本発明による冷凍・冷蔵倉庫の実施の形態における排気機構の詳細図
【　図６】本発明による冷凍・冷蔵倉庫の実施の形態における排気機構の詳細図
【　図７】従来の冷凍・冷蔵倉庫に関する概要図
【符号の説明】
１　冷凍庫、　２　冷凍室、　３　荷捌き室、　４　断熱性通気部材、
４−１、５−１　通気層、　４−２、５−２　断熱材、
４−３　デッキプレート、　４−４　流通路、　４−５　支持芯、
４−６　挿入孔、　５　ドレンフォーム、　５−３　凹部、
５−４　コンクリート、　５−５　支持芯、　６　基礎杭、　７　基礎、
８　床板、　９　地盤、　１０　砕石層、　１１　マットスラブ、
１２　断熱材、　１３　床押コンクリート、　１４　通気用側口、
１５　給気口、　１６　パイプ、　１８　排気口、　１９　デフロスト、
２０　冷蔵・冷凍庫、　２１　冷蔵部、　２２　荷捌き部、　２３　床板、
２４　通気層、　２５　デッキプレート、　２６　給気溝、　２７　排気溝、
２８　断熱材、　２９　排気ファン、
【図１】
2004020061.tif 000003
【図２】
2004020061.tif 000004
【図３】
2004020061.tif 000005
【図４】
2004020061.tif 000006
【図５】
2004020061.tif 000007
【図６】
2004020061.tif 000008
【図７】
2004020061.tif 000009